(57)【要約】【課題】本発明は、地震時におけるコンクリート版の位置ずれを抑制しつつ、コンクリート版の見栄えを良好にすることを目的とする。【解決手段】屋上防水構造１０は、屋上スラブ２０と、屋上スラブ２０の上面２０Ｕを被覆する防水層３０と、防水層３０上に設けられるコンクリート版４０と、コンクリート版４０の下面４０Ｌに設けられる凹状部４２と、屋上スラブ２０の上面２０Ｕに設けられ、凹状部４２に挿入される凸状部２４と、を備える。【選択図】図１
2018090968.tif 000002
【特許請求の範囲】
【請求項１】
屋上スラブと、
前記屋上スラブの上面を被覆する防水層と、
前記防水層上に設けられるコンクリート版と、
前記屋上スラブの上面及び前記コンクリート版の下面の何れか一方に設けられる凹状部と、
前記屋上スラブの前記上面及び前記コンクリート版の前記下面の何れか他方に設けられ、前記凹状部に挿入される凸状部と、
を備える屋上防水構造。
【請求項２】
前記屋上スラブから立ち上げられる壁部を備え、
前記コンクリート版は、前記壁部から離れた位置に配置される、
請求項１に記載の屋上防水構造。
【請求項３】
前記凸状部は、面取り部を有する、
請求項１又は請求項２に記載の屋上防水構造。
【発明の詳細な説明】
【技術分野】
【０００１】
本発明は、屋上防水構造に関する。
【背景技術】
【０００２】
構造物の屋上スラブ上に、防水層を介して設置されるコンクリート版が知られている（例えば、特許文献１，２参照）。
【先行技術文献】
【特許文献】
【０００３】
【特許文献１】特開２００３−３２８５０９号公報
【特許文献２】特開平６−２４８７６５号公報
【発明の概要】
【発明が解決しようとする課題】
【０００４】
特許文献１に開示された技術では、屋上スラブから立ち上げられた一対の係止部材の間にコンクリート版が設置される。これにより、一対の係止部材によって、地震時におけるコンクリート版の位置ずれが抑制される。
【０００５】
しかしながら、特許文献１に開示された技術では、コンクリート版と係止部材との隙間に雨水や塵等が溜まり易く、コンクリート版の見栄えが悪くなる可能性がある。
【０００６】
本発明は、上記の事実を考慮し、地震時におけるコンクリート版の位置ずれを抑制しつつ、コンクリート版の見栄えを良好にすることを目的とする。
【課題を解決するための手段】
【０００７】
請求項１に記載の屋上防水構造は、屋上スラブと、前記屋上スラブの上面を被覆する防水層と、前記防水層上に設けられるコンクリート版と、前記屋上スラブの上面及び前記コンクリート版の下面の何れか一方に設けられる凹状部と、前記屋上スラブの前記上面及び前記コンクリート版の前記下面の何れか他方に設けられ、前記凹状部に挿入される凸状部と、を備える。
【０００８】
請求項１に係る屋上防水構造によれば、屋上スラブの上面及びコンクリート版の下面の何れか一方に凹状部が設けられる。この凹状部には、屋上スラブの上面及びコンクリート版の下面の何れか他方に設けられた凸状部が挿入される。そして、地震時に、凹状部と凸状部とが係合することにより、屋上スラブに対するコンクリート版の位置ずれが抑制される。
【０００９】
また、凹状部は、屋上スラブとコンクリート版との間に設けられており、外部に露出しない。したがって、仮に凹状部に雨水や塵等が溜まったとしても、コンクリート版の見栄えに影響しない。したがって、コンクリート版の見栄えを良好にすることができる。
【００１０】
このように本発明では、地震時におけるコンクリート版の位置ずれを抑制しつつ、コンクリート版の見栄えを良好にすることができる。
【００１１】
請求項２に記載の屋上防水構造は、請求項１に記載の屋上防水構造において、前記屋上スラブから立ち上げられる壁部を備え、前記コンクリート版は、前記壁部から離れた位置に配置される。
【００１２】
請求項２に係る屋上防水構造によれば、壁部は、屋上スラブから立ち上げられる。この壁部から離れた位置にコンクリート版が配置される。
【００１３】
ここで、コンクリート版が壁部の際まである場合、壁部の高さは、例えば、コンクリート版の上面から測定される。これに対して本発明では、コンクリート版が壁部から離れた位置に配置される。そのため、壁部の高さは、例えば、コンクリート版の上面から一段下がった屋上スラブの上面又は防水層の上面から測定される。
【００１４】
これにより、本発明では、コンクリート版が壁部の際まである場合と比較して、壁部の高さを確保し易くなる。特に、壁部がパラペットの場合は、パラペットの必要高さを容易に確保することができる。
【００１５】
請求項３に記載の屋上防水構造は、請求項１又は請求項２に記載の屋上防水構造において、前記凸状部は、面取り部を有する。
【００１６】
請求項３に係る屋上防水構造によれば、凸状部は、面取り部を有する。ここで、凸状部に角部があると、地震時に凸状部と凹状部とが係合し、凸状部と凹状部との間で防水層が挟み込まれたときに、凸状部の角部によって防水層が損傷する可能性がある。
【００１７】
これに対して本発明の凸状部は、前述したように面取り部を有する。したがって、凸状部と凹状部の間で防水層が挟み込まれたときに、防水層の損傷が抑制される。
【発明の効果】
【００１８】
以上説明したように、本発明に係る屋上防水構造によれば、地震時におけるコンクリート版の位置ずれを抑制しつつ、コンクリート版の見栄えを良好にすることができる。
【図面の簡単な説明】
【００１９】
【図１】一実施形態に係る屋上防水構造が適用された構造物を示す縦断面図である。
【図２】コンクリート版の端部を示す図１の一部拡大縦断面図である。
【図３】コンクリート版の凹状部、及び屋上スラブの凸状部を示す図１の一部拡大縦断面図である。
【図４】一実施形態に係るコンクリート版の端部を示す図２に相当する縦断面図である。
【図５】一実施形態に係る屋上防水構造の変形例が適用された構造物を示す図３に相当する縦断面図である。
【発明を実施するための形態】
【００２０】
以下、図面を参照しながら、一実施形態に係る屋上防水構造について説明する。
【００２１】
（構造物）
図１には、本実施形態に係る屋上防水構造１０が適用された構造物１２の屋上が示されている。構造物１２は、屋上スラブ２０を備えている。屋上スラブ２０は、例えば、鉄筋コンクリート造とされており、構造物１２の屋根部を構成している。
【００２２】
（屋上スラブ）
屋上スラブ２０の外周部には、壁部の一例としてのパラペット（手摺壁）２２が立ち上げられている。パラペット２２は、例えば、鉄筋コンクリート造で、壁状に形成されている。また、パラペット２２は、屋上スラブ２０の外周部に沿って枠状に形成されている。さらに、パラペット２２の上端部には、屋上スラブ２０の中央側へ向けて突出する顎部２２Ａが設けられている。このパラペット２２は、例えば、手摺や、屋上スラブ２０上の積載物の落下防止壁等として機能する。
【００２３】
（防水層）
屋上スラブ２０の上面２０Ｕには、後述する複数の凸状部２４が設けられている。この屋上スラブ２０の上面２０Ｕは、防水層３０によって被覆されている。防水層３０は、不透水性を有している。この防水層３０は、例えば、ゴムシートや塩ビシート等の防水シート、ウレタンやＦＲＰ等の樹脂層（ウレタン防水、ＦＲＰ防水）、又はアスファルト層（アスファルト防水）等によって形成されている。
【００２４】
防水層３０は、屋上スラブ２０の上面２０Ｕの略全面を被覆するとともに、パラペット２２の内壁面２２Ｓを被覆している。この防水層３０の端部（外周部）３０Ｅは、パラペット２２の顎部２２Ａの下面に達している。
【００２５】
（コンクリート版）
防水層３０の上には、コンクリート版４０が設けられている。つまり、コンクリート版４０は、防水層３０を介して屋上スラブ２０の上面２０Ｕに載置（敷設）されている。コンクリート版４０は、例えば、鉄筋コンクリート造で、板状に形成されている。このコンクリート版４０は、防水層３０の損傷や浮き上りを抑制する板状部材（面材）とされる。また、コンクリート版４０の上面４０Ｕは、例えば、駐輪場や駐車場とされる。
【００２６】
コンクリート版４０は、パラペット２２から離れた位置に配置されている。換言すると、図２に示されるように、コンクリート版４０は、その端面（外周端面）４０Ｅとパラペット２２の内壁面２２Ｓとの間に、間隔Ｄを開けた状態で配置されている。なお、コンクリート版４０が存在しない屋上スラブ２０の外周部（間隔Ｄ）では、防水層３０が露出している。
【００２７】
（凹状部）
図１に示されるように、コンクリート版４０の下面４０Ｌには、複数の凹状部４２が形成されている。複数の凹状部４２は、間隔を空けてコンクリート版４０の下面４０Ｌに形成されている。各凹状部４２は、コンクリート版４０の下面４０Ｌを凹ませることにより形成されている。
【００２８】
図３に示されるように、凹状部４２は、断面形状が上方へ凸を成す台形状に形成されている。この凹状部４２は、底面４２Ａと、内側面４２Ｂとを有している。底面４２Ａは、水平な平坦面とされている。内側面４２Ｂは、底面４２Ａの外周部から凹状部４２の外側へ向けて傾斜する傾斜面とされている。
【００２９】
（凸状部）
図１に示されるように、屋上スラブ２０の上面２０Ｕには、複数の凸状部２４が設けられている。複数の凸状部２４は、屋上スラブ２０の上面２０Ｕから上方へ凸状に突出している。また、複数の凸状部２４は、屋上スラブ２０の上面２０Ｕと同様に、防水層３０によって被覆されている。
【００３０】
複数の凸状部２４は、コンクリート版４０の複数の凹状部４２とそれぞれ対応する位置に配置されている。これらの凸状部２４は、防水層３０を介して凹状部４２にそれぞれ挿入されている（嵌め込まれている）。
【００３１】
図３に示されるように、凸状部２４の断面形状は、上方へ凸を成す台形状に形成されている。この凸状部２４は、頂面（上面）２４Ａと、外側面２４Ｂとを有している。頂面２４Ａは、略水平な平坦面とされている。この頂面２４Ａは、凸状部２４が凹状部４２に挿入された状態で、凹状部４２の底面４２Ａと対向する。
【００３２】
外側面２４Ｂは、頂面２４Ａから凸状部２４の外側へ向けて傾斜する傾斜面とされている。また、外側面２４Ｂは、凸状部２４が凹状部４２に挿入された状態で、凹状部４２の内側面４２Ｂと対向する。この凸状部２４の外側面２４Ｂによって、防水層３０の損傷等が抑制されている。なお、凸状部２４の外側面２４Ｂは、面取り部の一例である。
【００３３】
次に、本実施形態の作用について説明する。
【００３４】
本実施形態に係る屋上防水構造１０によれば、屋上スラブ２０の上面２０Ｕは、防水層３０によって被覆されている。また、防水層３０上には、コンクリート版４０が設けられている。このコンクリート版４０によって、防水層３０の浮き上りが抑制される。したがって、屋上スラブ２０の防水性の低下が抑制される。
【００３５】
また、防水層３０上にコンクリート版４０を設けることにより、防水層３０の損傷が抑制される。そのため、コンクリート版４０上を、例えば駐輪場や駐車場として利用することができる。
【００３６】
このように本実施形態では、防水層３０上にコンクリート版４０を設けることにより、防水層３０の損傷を抑制しつつ、構造物１２の屋上スペースの有効利用を図ることができる。
【００３７】
ここで、地震時には、屋上スラブ２０に対してコンクリート版４０がスライド（滑動）し、当該コンクリート版４０が位置ずれする可能性がある。特に、本実施形態では、パラペット２２から離れた位置に、コンクリート版４０が配置されている。この場合、パラペット２２によってコンクリート版４０が拘束されないため、屋上スラブ２０に対してコンクリート版４０がスライドし易くなる。
【００３８】
この対策として本実施形態では、コンクリート版４０の下面４０Ｌに、複数の凹状部４２が設けられる。これらの凹状部４２には、屋上スラブ２０の上面２０Ｕに設けられた複数の凸状部２４がそれぞれ挿入されている（嵌め込まれている）。
【００３９】
これにより、地震時に屋上スラブ２０に対してコンクリート版４０がスライド（滑動）しようとすると、凸状部２４の外側面２４Ｂに、防水層３０を介して凹状部４２の内側面４２Ｂが係合する。これにより、屋上スラブ２０に対するコンクリート版４０のスライドが抑制される。したがって、屋上スラブ２０に対するコンクリート版４０の位置ずれが抑制される。
【００４０】
また、凹状部４２は、コンクリート版４０の下面４０Ｌに設けられている。これにより、凹状部４２には、雨水や塵等が溜まることが抑制される。さらに、凹状部４２は、屋上スラブ２０とコンクリート版４０との間に設けられており、コンクリート版４０から外部に露出しない。したがって、仮に凹状部４２に雨水や塵等が溜まったとしても、コンクリート版４０の見栄えに影響しない。したがって、コンクリート版４０の見栄えを良好にすることができる。
【００４１】
このように本実施形態では、地震時におけるコンクリート版４０の位置ずれを抑制しつつ、コンクリート版４０の見栄えを良好にすることができる。
【００４２】
また、凸状部２４の外側面２４Ｂは、傾斜面とされている。ここで、比較例として、凸状部に角部がある場合、地震時に凸状部と凹状部とが係合し、凸状部の角部と凹状部との間で防水層３０が挟み込まれると、当該角部によって防水層３０が損傷する可能性がある。
【００４３】
これに対して本実施形態では、凸状部２４の外側面２４Ｂは、前述したように傾斜面とされており、凸状部２４に角部が存在しない。したがって、凸状部２４の外側面２４Ｂと凹状部４２の内側面４２Ｂとの間で防水層３０が挟み込まれても、防水層３０の損傷が抑制される。
【００４４】
また、コンクリート版４０は、前述したように、屋上スラブ２０のパラペット２２から離れた位置に配置されている。つまり、コンクリート版４０は、その端面４０Ｅとパラペット２２の内壁面２２Ｓとの間に間隔Ｄを開けた状態で配置されている。
【００４５】
ここで、図４に示される比較例のように、コンクリート版１００がパラペット１０２の際まであり、コンクリート版１００の端面１００Ｔが防水層３０を介してパラペット１０２の内壁面１０２Ｓに接触している場合、パラペット１０２の高さＴ１は、例えば、コンクリート版４０の上面４０Ｕから測定される。
【００４６】
そのため、図４に示される比較例では、パラペット１０２の防水層３０の上面からの高さＴ２が、本実施形態のパラペット２２の防水層３０の上面からの高さＨ（図２参照）よりも高くなる（Ｈ＜Ｔ２）。
【００４７】
これに対して本実施形態では、図２に示されるように、コンクリート版４０がパラペット２２から離れた位置に配置されている。そのため、パラペット２２の高さＨは、例えば、コンクリート版４０の上面４０Ｕから一段下がった防水層３０の上面（又は屋上スラブ２０の上面２０Ｕ）から測定される。
【００４８】
これにより、本実施形態では、コンクリート版１００（図４参照）がパラペット１０２の際まである場合と比較して、防水層３０の上面（又は屋上スラブ２０の上面２０Ｕ）からのパラペット２２の高さＨを低くすることができる（Ｈ＜Ｔ２）。したがって、パラペット２２の施工コスト等を削減することができる。
【００４９】
次に、上記実施形態の変形例について説明する。
【００５０】
上記実施形態では、凸状部２４の外側面２４Ｂを傾斜面としたが、凸状部２４の外側面は、例えば、面取り部としての湾曲面としても良い。また、凸状部２４の面取り部は、適宜省略可能である。つまり、凸状部には、角部が存在しても良い。
【００５１】
また、上記実施形態では、コンクリート版４０に複数の凹状部４２を設けるとともに、屋上スラブ２０に複数の凸状部２４が設けられるが、上記実施形態はこれに限らない。コンクリート版４０には、少なくとも一つの凹状部４２を設けることができ、屋上スラブ２０には、コンクリート版４０の凹状部４２と対応する少なくとも一つの凸状部２４を設けることができる。また、凹状部４２及び凸状部２４配置は、適宜変更可能である。
【００５２】
また、上記実施形態では、コンクリート版４０の下面４０Ｌに凹状部４２を設けるとともに、屋上スラブ２０の上面２０Ｕに凸状部２４を設けたが、上記実施形態はこれに限らない。
【００５３】
例えば、図５に示されるように、屋上スラブ２０の上面２０Ｕに凹状部２６を設け、この凹状部２６に対応するように、コンクリート版４０の下面４０Ｌに凸状部４４を設けても良い。つまり、凹状部は、コンクリート版４０の下面４０Ｌ及び屋上スラブ２０の上面２０Ｕの何れか一方に設けることができ、凸状部は、コンクリート版４０の下面４０Ｌ及び屋上スラブ２０の上面２０Ｕの何れか他方に設けることができる。
【００５４】
さらに、コンクリート版４０の下面４０Ｌに凹状部及び凸状部を設け、これらの凹状部及び凸状部に対応するように、屋上スラブ２０の上面２０Ｕに凸状部及び凹状部を設けることも可能である。
【００５５】
また、上記実施形態では、パラペット２２から離れた位置にコンクリート版４０を配置したが、パラペット２２の際までコンクリート版４０を配置することも可能である。また、パラペット２２の配置や形状は、適宜変更可能である。
【００５６】
また、上記実施形態では、屋上スラブ２０から立ち上げられる壁部をパラペット２２としたが、上記実施形態はこれに限らない。屋上スラブ２０からは、種々の用途の壁部を立ち上げることができる。また、壁部は、適宜省略可能である。
【００５７】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００５８】
１０  屋上防水構造
２０  屋上スラブ
２２  パラペット（壁部）
２４  凸状部
２４Ｂ  外側面（面取り部）
２６  凹状部
３０  防水層
４０  コンクリート版
４２  凹状部
４４  凸状部
【図１】
2018090968.tif 000003
【図２】
2018090968.tif 000004
【図３】
2018090968.tif 000005
【図４】
2018090968.tif 000006
【図５】
2018090968.tif 000007